(57)【特許請求の範囲】
【請求項１】
絶縁基板の上面に摺接パターンを形成すると共に、絶縁基板の外周の一辺から突出させた少なくとも一対の突出部の表面に前記摺接パターンに接続される電極パターンを形成してなる回転式電子部品用基板であって、
前記電極パターンは、少なくとも前記突出部の先端に導電塗料を塗布して端面形成用パターンを形成することで構成されており、
且つ前記絶縁基板の外周辺の隣り合う電極パターンの間であって、隣り合う突出部の間に位置する外周辺の各突出部の付け根部分に、前記端面形成用パターンを形成する際に突出部の側面に付着して余剰となった導電塗料を蓄える余剰塗料保持部を設け、さらに前記各突出部の付け根部分に設けられた一対の余剰塗料保持部の間に位置する絶縁基板の外周辺の部分を、導電塗料非付着確認部としたことを特徴とする回転式電子部品用基板。
【請求項２】
請求項１に記載の回転式電子部品用基板であって、
前記電極パターンは、絶縁基板の突出部の少なくとも上面に導電パターンを形成すると共に、前記導電パターンを前記端面形成用パターンに接続し、さらにこれら導電パターン及び端面形成用パターンの表面にメッキを施すことで構成されていることを特徴とする回転式電子部品用基板。
【発明の詳細な説明】
【技術分野】
【０００１】
本発明は、半固定可変抵抗器等の回転式電子部品に用いて好適な回転式電子部品用基板に関するものである。
【背景技術】
【０００２】
従来、チップ型の半固定可変抵抗器は、例えば特許文献１の図１，図２に示すように、基板と摺動子と集電板とを具備し、基板の上面に摺動子を配置すると共に基板の下面に集電板を配置し、集電板に設けた筒状の軸部を基板に設けた貫通孔と摺動子に設けた嵌挿孔に挿入し、軸部の先端をかしめることで摺動子を基板上に回動自在に固定して構成されている。
【０００３】
図１１は従来の基板３００を示す図であり、図１１（ａ）は平面図、図１１（ｂ）は図１１（ａ）のａ−ａ断面図である。同図に示すように基板３００は、略矩形状の絶縁板３０１の中央に集電板の軸部を挿入する貫通孔３０３を設け、またその外周四辺の内の一辺の左右両側部分に突出部３０５を設け、さらに突出部３０５の上下面と外周端面とに電極パターン３０７を形成し、また絶縁板３０１の上面に円弧状の抵抗体パターン３０９を形成して構成されている。
【０００４】
絶縁板３０１に電極パターン３０７等を形成するには、例えば以下の方法が用いられる。即ち図１２に示すように、まず絶縁板３０１の上面と下面に電極パターン３０７の下地となる銀パターン（上面側の銀パターンを３０７ａで示す）をスクリーン印刷によって形成する。次に一対の突出部３０５の先端部分に銀塗料を塗布し焼成することで銀パターン３０７ｂを形成して前記上下面に形成した銀パターン間を接続する。次に絶縁板３０１の上面に図１１に示す抵抗体パターン３０９を印刷形成する。このとき上面側の一対の銀パターン３０７ａの上にそれぞれ抵抗体パターン３０９の両端部を被せるように形成する。そして前記抵抗体パターン３０９の上のみに図示しないレジスト層を印刷した上で、図１１に網掛けで示す電極パターン３０７となる部分をメッキし、その後前記レジスト層を剥離すれば前記図１１に示す基板３００が完成する。
【先行技術文献】
【特許文献】
【０００５】
【特許文献１】特開２００９−１１７７５１号公報
【発明の概要】
【発明が解決しようとする課題】
【０００６】
しかしながら上記基板３００には、以下のような問題があった。即ち、一対の突出部３０５の先端部分に銀塗料を塗布して銀パターン３０７ｂを形成する際に、これら突出部３０５に付着する銀塗料の量が多かった場合や、または銀塗料を突出部３０５の根元付近まで深く塗布したような場合は、一対の突出部３０５間に位置する絶縁基板３０１の辺３１１の部分に銀塗料が流れて付着してしまい、両突出部３０５に形成した銀パターン間（つまりその後メッキによって完成する電極パターン３０７間）が短絡してしまう恐れがあった。なお塗布する銀塗料はロットによって粘度が変わる場合があり、突出部３０５の同じ深さまで銀塗料を塗布した場合でも、粘度が低いと流れ易くなって上記問題が生じる場合もあった。
【０００７】
これを避けるために突出部３０５への銀塗料への塗布深さを浅く又は塗布量を少なくすると、逆に突出部３０５への銀塗料の付着量が不十分となり、予め上下面に印刷した銀パターン間の電気的接触不良が生じてしまう恐れが生じる。
【０００８】
本発明は上述の点に鑑みてなされたものであり、その目的は、電極パターン間の短絡等の電気的不都合が生じることのない回転式電子部品用基板を提供することにある。
【課題を解決するための手段】
【０００９】
本発明にかかる回転式電子部品用基板は、絶縁基板の上面に摺接パターンを形成すると共に、絶縁基板の外周の一辺から突出させた少なくとも一対の突出部の表面に前記摺接パターンに接続される電極パターンを形成してなる回転式電子部品用基板であって、前記電極パターンは少なくとも前記突出部の先端に導電塗料を塗布して端面形成用パターンを形成することで構成されており、且つ前記絶縁基板の外周辺の隣り合う電極パターン間であって、隣り合う突出部の間に位置する外周辺の各突出部の付け根部分に前記端面形成用パターンを形成する際に突出部の側面に付着して余剰となった導電塗料を蓄える余剰塗料保持部を設け、さらに前記各突出部の付け根部分に設けられた一対の余剰塗料保持部の間に位置する絶縁基板の外周辺の部分を、導電塗料非付着確認部としたことを特徴としている。
このように余剰塗料保持部を設けたので、突出部に塗布した導電塗料の量が多くても、または突出部の根元付近まで深く導電塗料を塗布しても、余剰の導電塗料は余剰塗料保持部に蓄えられてそれ以上絶縁基板の外周辺を流れて行かない。このため電極パターン間の短絡を確実に防止できる。
【００１０】
また本発明は、前記電極パターンを、絶縁基板の突出部の少なくとも上面に導電パターンを形成すると共に、前記導電パターンを前記端面形成用パターンに接続し、さらにこれら導電パターン及び端面形成用パターンの表面にメッキを施すことで構成している。
前述のように余剰塗料保持部によって短絡が防止できるので、その分突出部に導電塗料を深く塗布して深く端面形成用パターンを形成でき、これによって絶縁基板の少なくとも上面に印刷した導電パターンと端面形成用パターン間を確実に電気的に接続させることができ、良好な電極パターンを形成することができる。
【００１１】
また本発明は、上述のように、前記余剰塗料保持部を、隣り合う突出部の間に位置する外周辺の各突出部の付け根部分に設けたので、余剰となった導電塗料が、各突出部の付け根部分に設けた余剰塗料保持部に蓄えられるので、隣接する余剰塗料保持部間の絶縁基板の外周辺の長さ、つまり導電塗料が付着しない外周辺の長さを長く取れ、より効果的に電極パターン間の短絡を防止できる。
【００１２】
また本発明は、上述のように、前記各突出部の付け根部分に設けられた一対の余剰塗料保持部の間に位置する絶縁基板の外周辺の部分を、導電塗料非付着確認部としたので、余剰の塗料が溜まる余剰塗料保持部の色彩と、絶縁基板の外周辺自体である導電塗料非付着確認部の色彩とをはっきり異ならせることができるので（又は一対の余剰塗料保持部と導電塗料非付着確認部の間にはっきりとした境界ができるので）、導電塗料非付着確認部の部分に導電塗料（又はその表面に施したメッキ）が付着しているか否かを容易に目視で確認でき、不良品を見分けることができる。
【発明の効果】
【００１３】
本発明にかかる回転式電子部品用基板によれば、電極パターン間の短絡等の電気的不具合が生じることのない回転式電子部品用基板を構成することができる。
【図面の簡単な説明】
【００１４】
【図１】回転式電子部品１−１の斜視図である。
【図２】回転式電子部品１−１を下側から見た斜視図である。
【図３】回転式電子部品１−１の分解斜視図である。
【図４】基板１０を下側から見た斜視図である。
【図５】基板１０を示す図であり、図５（ａ）は平面図、図５（ｂ）は図５（ａ）のＡ−Ａ断面図、図５（ｃ）は裏面図である。
【図６】基板１０へのパターン形成方法説明図である。
【図７】基板１０へのパターン形成方法説明図である。
【図８】基板１０へのパターン形成方法説明図である。
【図９】基板１０へのパターン形成方法説明図である。
【図１０】基板１０−２，３，４を示す平面図である。
【図１１】従来の基板３００を示す図であり、図１１（ａ）は平面図、図１１（ｂ）は図１１（ａ）のａ−ａ断面図である。
【図１２】基板３００へのパターン形成方法説明図である。
【発明を実施するための形態】
【００１５】
以下、本発明の実施形態を図面を参照して詳細に説明する。
図１は本発明の１実施形態に係る回転式電子部品用基板（以下単に「基板」という）１０を用いて構成した回転式電子部品１−１の斜視図、図２は回転式電子部品１−１を下側から見た斜視図、図３は回転式電子部品１−１の分解斜視図である。これらの図に示すように回転式電子部品１−１は、基板１０の上下面にそれぞれ摺動子５０と集電板７０を設置して構成されている。なお以下の説明において、「上」とは基板１０から摺動子５０の側を見る方向をいい、「下」とはその反対方向をいうものとする。
【００１６】
ここでまず基板１０について説明する。図４は基板１０を下側から見た斜視図である。また図５（ａ）は基板１０の平面図、図５（ｂ）は図５（ａ）のＡ−Ａ断面図、図５（ｃ）は基板１０の裏面図である。図１〜図５に示すように、基板１０は略矩形状の絶縁基板（この例ではアルミナ等のセラミックス製）１１を具備し、この絶縁基板１１の上面に略円弧状の摺接パターン（以下「抵抗体パターン」という）２１を形成し、また絶縁基板１１の外周四辺の内の一辺の両端部近傍部分から突出させた一対の略四角柱状の突出部１３の表面に前記抵抗体パターン２１に接続される電極パターン２３を形成して構成されている。また絶縁基板１１の中央（抵抗体パターン２１の中央）には貫通孔１５が設けられ、絶縁基板１１の下面には集電板７０を収納して位置決めする凹部１７が設けられている。また突出部１３の上下面の中間位置には、その厚みを先端に向けて薄くするために屈曲させる部分に辺１３ａ，１３ｂが形成されている。
【００１７】
絶縁基板１１の一対の隣り合う突出部１３の間の外周辺の各突出部１３の付け根部分には、余剰塗料保持部２５が形成されている。余剰塗料保持部２５は略円弧状の凹部形状となっている。これら余剰塗料保持部２５は、電極パターン２３の下地となる下記する端面形成用パターン２３５を形成する際に、突出部１３の側面に付着して余剰となった銀塗料を蓄えるために設けられている。
【００１８】
また前記一対の余剰塗料保持部２５の間に位置する絶縁基板１１の直線状の外周辺の部分（その外周側面の面全体）を、導電塗料非付着確認部２７としている。
【００１９】
図１〜図３に戻って、摺動子５０は本体板５１と重畳板６３とを連結部６１で連結した１枚の薄板状の弾性金属板（例えばステンレス板）で構成されており、連結部６１の部分を折り曲げることで本体板５１の上に重畳板６３を重ね合わせている。重畳板６３は略円形であり、中央に調整治具挿入口６５を設けている。本体板５１は略円形であり、その中央に下方向に突出する略すり鉢状（円形カップ状）の基部５３を有し、基部５３の底部中央に円形の貫通する嵌挿孔５５を設けている。本体板５１の外周部分には半円弧状のアーム５７が設けられ、その中央には下方向にＶ字状に折り曲げてなる摺動接点５９が形成されている。
【００２０】
集電板７０は金属板製であり、略矩形状の集電板基部７１の所定位置に上方向に突出する筒状突起からなる軸部７３を設けて構成されている。
【００２１】
回転式電子部品１の組み立ては、基板１０の上面に摺動子５０を配置し、基板１０の下面（凹部１７内）に集電板７０を配置（収納）し、その際基板１０の貫通孔１５と摺動子５０の嵌挿孔５５とを貫通した集電板７０の軸部７３の先端をかしめることで、摺動子５０を基板１０上に回動自在に取り付けることによって行われる。
【００２２】
以上のように組み立てられた回転式電子部品１において、摺動子５０を回転すれば、摺動接点５９が抵抗体パターン２１上を摺動して両電極パターン２３と集電板７０間の抵抗値が変化する。
【００２３】
図６〜図９は絶縁基板１１に電極パターン２３と抵抗体パターン２１を形成して基板１０を完成させる基板１０へのパターン形成方法説明図である。基板１０へパターンを形成するには、図６に示すように、まず絶縁基板１１の上面の突出部１３先端から、後の工程で形成される抵抗体パターン２１の端部に至る位置に、上面側の導電パターン（以下「銀パターン」という）２３１を導電塗料（以下「銀塗料」という）をスクリーン印刷し、その後焼成することによって形成する。
【００２４】
次に図７に示すように、絶縁基板１１の下面の突出部１３の先端から、突出部１３の根元付近に至る位置に、下面側の導電パターン（以下「銀パターン」という）２３３を導電塗料（以下「銀塗料」という）をスクリーン印刷し、その後焼成することによって形成する。
【００２５】
次に図８（ａ），（ｂ）に示すように、一対の突出部１３の先端部分に導電塗料（以下「銀塗料」という）を塗布することでこの先端部分に端面形成用パターン２３５を形成し、焼成することで前記上下面の銀パターン２３１，２３３間を接続する。
【００２６】
このとき端面形成用パターン２３５を形成するために塗布した銀塗料の量が多かったり、または突出部１３に対して塗布する銀塗料の深さが深かったりすると、塗布した余剰の銀塗料の一部が両突出部１３の間の絶縁基板１１の外周辺上を流れてもう一方の突出部１３の銀パターンと短絡してしまう恐れがある。しかしながらこの基板１０の場合は、各突出部１３の根元に余剰塗料保持部２５を形成しているので、余った銀塗料はこれら余剰塗料保持部２５内に入り込んで溜まる。従って両余剰塗料保持部２５の間の外周辺である導電塗料非付着確認部２７に銀塗料が付着する恐れはない。
【００２７】
次に絶縁基板１１の上面に図９に示す抵抗体パターン２１をスクリーン印刷し、焼成する。そして前記抵抗体パターン２１の上のみに図示しないレジスト層を印刷した上で、図５（ａ），（ｃ）に示す電極パターン２３となる部分（網掛け部分）をメッキ（この例ではニッケル下地のスズメッキ）し、その後前記レジスト層を剥離すれば前記図５に示す基板１０が完成する。
【００２８】
以上のように基板１０は、銀塗料を塗布して端面形成用パターン２３５を形成する際に突出部１３の表面（特にその側面）に付着して余剰となった銀塗料を蓄える余剰塗料保持部２５を隣り合う突出部１３の間に設けたので、突出部１３に塗布した銀塗料の量が多くても、または突出部１３の根元付近まで深く銀塗料を塗布しても、余剰の銀塗料は余剰塗料保持部２５に蓄えられてそれ以上絶縁基板１１の外周辺を流れて行かない。
【００２９】
以上のことから、電極パターン２３間の短絡を確実に防止することができる。また余剰塗料保持部２５によって短絡が防止できるので、その分突出部１３に銀塗料を深く塗布でき、別途絶縁基板１１の上下面に印刷した電極パターン用の銀パターン２３１，２３３間を確実に電気的に接続させることもできる。なお突出部１３には前述のように屈曲させる部分に辺１３ａ，１３ｂが設けられており、このため銀パターン２３１，２３３をスクリーン印刷によって形成した際にこの辺１３ａ，１３ｂの部分に銀パターン２３１，２３３が乗りにくくて電気的接続が阻害される恐れがあるので、この点からもこれら辺１３ａ，１３ｂを越える突出部１３の根元位置まで深く銀塗料を塗布することが望ましい。
【００３０】
またこの基板１０の場合、余剰塗料保持部２５は、隣り合う突出部１３の間に位置する外周辺の各突出部１３の付け根部分に設けられているので、隣接する余剰塗料保持部２５間の絶縁基板１１の外周辺の長さ、つまり銀塗料が付着しない外周辺の長さを長く取れ、より効果的に電極パターン２３間の短絡を防止できる。
【００３１】
さらにこの基板１０においては、前記各突出部１３の付け根部分に設けられた一対の余剰塗料保持部２５の間に位置する絶縁基板１１の外周辺の部分を、導電塗料非付着確認部２７としたので、完成した基板１０の不良品検査を行う際、余剰の銀塗料が溜まる余剰塗料保持部２５の色彩と、絶縁基板１１の外周辺自体である導電塗料非付着確認部２７の色彩とをはっきり異ならせることができ（又は一対の余剰塗料保持部２５と導電塗料非付着確認部２７両端の間にはっきりとした境界ができ）、導電塗料非付着確認部２７の部分に銀塗料（又はその表面に施したメッキ）が付着しているか否かを容易に目視で確認でき、不良品を見分けることができ、不良品検査を容易且つ確実に行うことができる。
【００３２】
図１０（ａ），（ｂ），（ｃ）はそれぞれ本発明の他の実施形態に係る基板１０−２，１０−３，１０−４を示す平面図である。同図において、前記図１〜図９に示す実施形態にかかる基板１０と同一又は相当部分には同一符号を付す。なお以下で説明する事項以外の事項については、前記図１〜図９に示す実施形態と同じである。
【００３３】
これらの基板１０−２，３，４において、前記基板１０と相違する点は、余剰塗料保持部２５の形成位置である。即ち図１０（ａ）に示す基板１０−２においては、余剰塗料保持部２５を両突出部１３が対向する側の突出部１３の側辺に設け、図１０（ｂ）に示す基板１０−３においては、余剰塗料保持部２５を両突出部１３が対向する側の突出部１３の側辺の根元部分に設け、図１０（ｃ）に示す基板１０−４においては、余剰塗料保持部２５を両突出部１３が対向する側の突出部１３の側辺の根元部分から導電塗料非付着確認部２７側の外周辺の部分にわたって設けている。このように構成しても、前記基板１０で説明した内容と同様の作用が生じる。
【００３４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、図示はしないが、余剰塗料保持部２５の形成位置は上記した以外の位置であっても良く、例えば１か所のみに設けても良く、３か所以上の複数か所に設けても良い。またその形状も上記図示した形状以外の各種形状であっても良い。また上記各例では突出部１３が一対の場合について説明したが、３つ以上の複数の突出部１３を有する基板にも同様に適用できる。また上記例では、端面形成用パターン２３５や上下面の銀パターン２１３，２３３を形成するための導電塗料として銀塗料を用いたが、銀以外の導電塗料を用いても良い。要は絶縁基板１１の外周辺の隣り合う電極パターン２３の間に、端面形成用パターン２３５を形成する際に突出部１３の側面に付着して余剰となった導電塗料を蓄える余剰塗料保持部２５を設ける構成であれば、どのような構成であっても良い。
【００３５】
また上記例では、絶縁基板１１に上面側の銀パターン２３１と下面側の銀パターン２３３を形成した後に、突出部１３の先端部分に導電塗料を塗布することで端面形成用パターン２３５を形成し、さらにこれらパターンの上にメッキを施して電極パターン２３を形成したが、少なくとも突出部１３の先端に導電塗料を塗布して端面形成用パターン２３５を形成することで構成される電極パターン２３であれば、他の各種構造の電極パターンであっても良い。また下面側の銀パターン２３３を省略し、上面側の銀パターン２３１のみを形成した後に突出部１３の先端部分に導電塗料を塗布することで端面形成用パターン２３５を形成し、これらパターンの上にメッキを施して電極パターン２３を形成しても良い。
【００３６】
また基板はセラミックス製に限定されず、合成樹脂製等であっても良い。また基板上に形成する摺接パターンは抵抗体パターンに限定されず、スイッチパターン等の他の各種パターンであっても良い。また本発明は半固定可変抵抗器以外の各種回転式電子部品用の基板にも適用できることは言うまでもない。
【符号の説明】
【００３７】
１−１  回転式電子部品
１０  基板（回転式電子部品用基板）
１１  絶縁基板
１３  突出部
１５  貫通孔
１７  凹部
２１  抵抗体パターン（摺接パターン）
２３  電極パターン
２３１  （上面側の）銀パターン（導電パターン）
２３３  （下面側の）銀パターン（導電パターン）
２３５  端面形成用パターン
２５  余剰塗料保持部
２７  導電塗料非付着確認部
５０  摺動子
７０  集電板
【図１】
0005917300.tif 000002
【図２】
0005917300.tif 000003
【図３】
0005917300.tif 000004
【図４】
0005917300.tif 000005
【図５】
0005917300.tif 000006
【図６】
0005917300.tif 000007
【図７】
0005917300.tif 000008
【図８】
0005917300.tif 000009
【図９】
0005917300.tif 000010
【図１０】
0005917300.tif 000011
【図１１】
0005917300.tif 000012
【図１２】
0005917300.tif 000013